(57)【要約】【課題】  先端に赤外線ＬＥＤなどの発光素子を設けた器具を挿入して行う不正行為を防止する。【解決手段】  メダル投入口から投入されたメダルＭを計数するメダルセレクタのセンサの発光素子Ｓ−ａをメダルの検出時間よりも短い時間間隔で点滅させるクロック発振器１３と、発光素子の点滅信号を参照して受光素子Ｓ−ｂの出力信号を補完してメダル検出信号を生成するメダル検出信号生成回路１４と、発光素子の点滅信号及び受光素子の出力信号に基づき不正行為を検出する不正行為検出回路１５とを設けた。【選択図】        図４
2005304810.tif 000002
【特許請求の範囲】
【請求項１】
メダル投入口から投入されたメダルを計数するメダルセレクタであって、前記メダル投入口から投入されたメダルを転動させるメダル通路と、メダルを検出する発光素子及び受光素子を含み前記メダル通路に設けられるセンサと、前記センサによるメダルの検出時間よりも短い時間間隔で前記発光素子を点滅させる点滅制御回路と、前記発光素子の点滅信号及び前記受光素子の出力信号に基づき不正行為を検出する不正行為検出回路とを備えるメダルセレクタ。
【請求項２】
前記不正行為検出回路は、前記発光素子の消灯のタイミングで前記受光素子の出力信号をサンプリングすることにより不正行為を検出することを特徴とする請求項１記載のメダルセレクタ。
【請求項３】
前記不正行為検出回路は、前記発光素子の消灯のタイミングとして前記発光素子の点灯開始のタイミングで前記受光素子の出力信号をサンプリングすることを特徴とする請求項２記載のメダルセレクタ。
【請求項４】
前記不正行為検出回路は、前記発光素子が発光していないにもかかわらず、前記受光素子が受光している場合に不正行為と判定することを特徴とする請求項１乃至請求項３いずれかに記載のメダルセレクタ。
【請求項５】
前記不正行為検出回路は、不正行為を検出したときエラー信号を出力するとともに、リセット命令を受けるまで前記エラー信号を保持し続けることを特徴とする請求項１乃至請求項４いずれかに記載のメダルセレクタ。
【請求項６】
前記発光素子の点滅信号を参照して前記受光素子の出力信号を補完してメダル検出信号を生成するメダル検出信号生成回路を備え、前記メダル検出信号生成回路は、前記発光素子の点灯のタイミングで前記受光素子の出力信号をサンプリングすることにより補完を行うことを特徴とする請求項１記載のメダルセレクタ。
【請求項７】
前記発光素子の点滅信号を参照して前記受光素子の出力信号を補完してメダル検出信号を生成するメダル検出信号生成回路を備え、前記メダル検出信号生成回路は、前記発光素子が発光し、かつ、前記受光素子が受光している場合は、メダル非通過を意味する信号を出力し、前記発光素子が発光し、かつ、前記受光素子が受光していない場合は、メダル通過を意味する信号を出力し、前記発光素子が発光していない場合は、出力信号の状態を変えないことを特徴とする請求項１記載のメダルセレクタ。
【請求項８】
メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機において、前記センサによるメダルの検出時間よりも短い時間間隔で前記発光素子を点滅させる点滅制御回路と、前記発光素子の点滅信号及び前記受光素子の出力信号に基づき不正行為を検出する不正行為検出回路とを備えることを特徴とする遊技機。
【請求項９】
前記発光素子の点滅信号を参照して前記受光素子の出力信号を補完してメダル検出信号を生成するメダル検出信号生成回路を備えることを特徴とする請求項８記載の遊技機。
【請求項１０】
メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機の不正行為検出方法であって、
前記発光素子を消灯させるステップと、
前記発光素子の消灯の後に前記受光素子の受光信号の有無を判定するステップと、
前記受光素子の受光信号が有りの場合に不正行為と判定し、遊技の受け付け及びメダルの払い出しを停止するステップと、
前記受光素子の受光信号が無しの場合に前記発光素子を点灯させるステップと、を備える遊技機の不正行為防止方法。
【請求項１１】
メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機のプログラムであって、
前記発光素子を消灯させるステップと、
前記発光素子の消灯の後に前記受光素子の受光信号の有無を判定するステップと、
前記受光素子の受光信号が有りの場合に不正行為と判定し、遊技の受け付け及びメダルの払い出しを停止するステップと、
前記受光素子の受光信号が無しの場合に前記発光素子を点灯させるステップと、をコンピュータに実行させるためのプログラム。
【発明の詳細な説明】
【技術分野】
【０００１】
この発明は、スロットマシン等の遊技機に用いられるメダルセレクタ、遊技機及び遊技機の不正行為防止方法並びにプログラムに関する。
【背景技術】
【０００２】
スロットマシン等の遊技機は、遊技者が所定の枚数のメダル（遊技媒体）を遊技機に投入してゲームを楽しむことができるものである。遊技に必要なメダルは、遊技ホール内に設けられたメダル貸機等で借りることができ、所望の遊技機のメダル投入口にメダルを投入することによりゲームを開始することができる。
【０００３】
投入されたメダルは遊技機内部のメダルセレクタで選別される（不良メダルは返却される）とともに、投入されたメダルの枚数が計数される。この計数値がメダルの投入枚数として扱われ、この範囲内で遊技者は遊技を楽しむことができる。メダルを投入した後であっても、遊技によりクレジットを消費する前であれば投入したメダルの返却を求めることができる。返却操作のために遊技機の前面パネルにキャンセルボタンが設けられている。
【０００４】
図７はスロットマシンが備える従来のメダルセレクタの斜視図である。図８は従来のメダルセレクタの動作説明図である。図７及び図８（ａ）において、１はメダルセレクタ、１１は下り傾斜したメダル通路、１２はメダルセレクタ１のメダル出口、Ｓ１及びＳ２はメダル通路１１に設けられたフォトインタラプタ（メダル検出のためのセンサ）である。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に戻る。
【０００５】
メダル出口１２の近傍には２つのメダルセンサＳ１，Ｓ２がメダルの進行方向に沿って並んで設けられている。メダルの検知は２つのセンサの検出順序により行われている。図８（ｂ）はメダルＭが通過したときのセンサＳ１，Ｓ２の出力信号のタイミングチャートを示す。図８（ｂ）の信号は高レベルがメダル通過状態を示す正論理である。手前側に設けられているセンサＳ１の信号の位相は、Ｓ２のそれよりも進んでいる。センサＳ１，Ｓ２により途中で阻止されずに送られてきたメダルの通過が検出される。Ｓ１，Ｓ２を２つ隣接させて設けているので、メダルの通過速度や通過方向を検出することができ、これらに基づきメダル枚数だけでなく、メダルの逆流やセルロイドなどを用いた不正行為を検出することができる。また、メダルセンサＳ１，Ｓ２をメダル入り口から遠い側に設けることにより、不正行為をやりにくくしている。
【発明の開示】
【発明が解決しようとする課題】
【０００６】
遊技機に対する不正行為（いわゆるゴト行為）が増えてきていて、これによる被害も増大しつつある。しかも不正行為の手法も時とともに巧妙になってきている。そのひとつとしてメダル投入口から不正行為用の器具を挿入し、メダルセレクタのメダル計数機能を不正に操作し誤動作させ、メダルを投入していないにもかかわらず不正に多数のクレジットを得るという手口がある。
【０００７】
先端に赤外線ＬＥＤなどの発光素子を２つ設けた器具を挿入し、これらをセンサＳ１，Ｓ２に向けて点滅させることにより図８（ｂ）の信号を作り出し、不正なクレジットを得ているようである。不正に得たクレジットで遊技を行うことができるが、多くの場合、キャンセルボタンによりメダルの返却を受けているようである。メダルセレクタに対する不正行為の発見は遅れるケースが多く、被害の拡大が懸念されている。
【０００８】
本発明は上記課題を解決するためになされたもので、不正行為を防止できるメダルセレクタ、遊技機及び遊技機の不正行為防止方法並びにプログラムを提供することを目的とする。
【課題を解決するための手段】
【０００９】
本発明に係るメダルセレクタは、メダル投入口から投入されたメダルを計数するメダルセレクタであって、前記メダル投入口から投入されたメダルを転動させるメダル通路と、メダルを検出する発光素子及び受光素子を含み前記メダル通路に設けられるセンサと、前記センサによるメダルの検出時間よりも短い時間間隔で前記発光素子を点滅させる点滅制御回路と、前記発光素子の点滅信号及び前記受光素子の出力信号に基づき不正行為を検出する不正行為検出回路とを備えるものである。
【００１０】
好ましくは、  前記不正行為検出回路は、前記発光素子の消灯のタイミングで前記受光素子の出力信号をサンプリングすることにより不正行為を検出する。より好ましくは、前記不正行為検出回路は、前記発光素子の消灯のタイミングとして前記発光素子の点灯開始のタイミングで前記受光素子の出力信号をサンプリングする。
【００１１】
前記不正行為検出回路は、前記発光素子が発光していないにもかかわらず、前記受光素子が受光している場合に不正行為と判定するようにしてもよい。
【００１２】
好ましくは、前記不正行為検出回路は、不正行為を検出したときエラー信号を出力するとともに、リセット命令を受けるまで前記エラー信号を保持し続ける。
【００１３】
好ましくは、前記発光素子の点滅信号を参照して前記受光素子の出力信号を補完してメダル検出信号を生成するメダル検出信号生成回路を備え、前記メダル検出信号生成回路は、前記発光素子の点灯のタイミングで前記受光素子の出力信号をサンプリングすることにより補完を行う。
【００１４】
前記メダル検出信号生成回路は次の処理を行うようにしてもよい。
・前記発光素子が発光し、かつ、前記受光素子が受光している場合は、メダル非通過を意味する信号を出力する。
・前記発光素子が発光し、かつ、前記受光素子が受光していない場合は、メダル通過を意味する信号を出力する。
・前記発光素子が発光していない場合は、出力信号の状態を変えない。
【００１５】
本発明に係る遊技機は、メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機において、前記センサによるメダルの検出時間よりも短い時間間隔で前記発光素子を点滅させる点滅制御回路と、前記発光素子の点滅信号及び前記受光素子の出力信号に基づき不正行為を検出する不正行為検出回路とを備えるものである。
【００１６】
好ましくは、前記発光素子の点滅信号を参照して前記受光素子の出力信号を補完してメダル検出信号を生成するメダル検出信号生成回路を備える。
【００１７】
この発明は、メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機の不正行為検出方法であって、
前記発光素子を消灯させるステップと、
前記発光素子の消灯の後に前記受光素子の受光信号の有無を判定するステップと、
前記受光素子の受光信号が有りの場合に不正行為と判定し、遊技の受け付け及びメダルの払い出しを停止するステップと、
前記受光素子の受光信号が無しの場合に前記発光素子を点灯させるステップと、を備えるものである。
【００１８】
この発明は、メダル投入口から投入されたメダルを計数するメダルセレクタと、メダルを検出する発光素子及び受光素子を含み前記メダルセレクタに設けられるセンサと、前記センサの出力に基づき投入されたメダルの枚数を計数する制御部とを備える遊技機のプログラムであって、
前記発光素子を消灯させるステップと、
前記発光素子の消灯の後に前記受光素子の受光信号の有無を判定するステップと、
前記受光素子の受光信号が有りの場合に不正行為と判定し、遊技の受け付け及びメダルの払い出しを停止するステップと、
前記受光素子の受光信号が無しの場合に前記発光素子を点灯させるステップと、をコンピュータに実行させるためのプログラムである。
【００１９】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００２０】
また、電話回線等の有線通信媒体、マイクロ波回線等の無線通信媒体等の通信媒体を含む。インターネットもここでいう通信媒体に含まれる。
【００２１】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２２】
本発明によれば、メダル検出用のセンサの発光素子を点滅させることにより不正行為用装置からの信号を識別し、不正行為を検出することができる。単純なＬＥＤの点灯／消灯では不正な利益を受けることができなくなる。
【発明を実施するための最良の形態】
【００２３】
発明の実施の形態１．
この発明の実施の形態に係るスロットマシン及びその不正行為の防止方法について図面を参照して説明する。
【００２４】
図１は前扉を閉めた状態を示すスロットマシンの正面図、図２は前扉を１８０度開いた状態を示すスロットマシンの正面図を示す。
【００２５】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２６】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。
【００２７】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。
【００２８】
前記前扉１３０の裏面には、図２に示すように、メダルセレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２９】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００３０】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３１】
図３はスロットマシンの機能ブロック図を示す。２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。
【００３２】
メダルセレクタ１が２つのセンサＳ１とＳ２を含む点は従来と同じであるが、さらに、センサＳ１、Ｓ２の発光素子Ｓ１−ａ，Ｓ２−ａを点滅させる点滅制御回路（発振器）１３−１、１３−２を備えるとともに、点滅制御回路１３−１，１３−２の出力信号を参照して受光素子Ｓ１−ｂ、Ｓ２−ｂの信号からメダル検出信号（図８（ｂ）参照）を生成するメダル検出信号生成回路１４−１，１４−２と、点滅制御回路１３−１，１３−２の出力信号を参照して不正行為を検出してエラー信号を生成する不正行為検出回路１５−１、１５−２とを備える。点滅制御回路１３、メダル検出信号生成回路１４及び不正行為検出回路１５は制御基板に設けられるが、これはメダルセレクタ１の内部に設けてもよいし、外部に設けてもよい。あるいはメイン基板１内に設けてもよい。また、センサ自体にこれらの機能の全部又は一部を持たせるようにしてもよい。この場合、エラー信号を出力及び保持することが好ましい。センサをモジュール化してもよい。例えば、センサをパッケージに収納し、パッケージ内に半導体チップを設け、点滅制御回路１３、メダル検出信号生成回路１４及び不正行為検出回路１５の機能の一部又は全部を実行させるようにしてもよい。
【００３３】
点滅制御回路１３は、メダルがセンサを遮る時間より短い時間間隔で発光素子Ｓ１−ａ，Ｓ２−ａを点滅させる（別の言い方をすれば、図８（ｂ）のメダル検出信号よりも高い周波数で発光素子を点滅させる）。
【００３４】
メダル検出信号生成回路１４は、受光素子Ｓ１−ｂ，Ｓ２−ｂの受光信号に基づきメダル検出信号を生成する。点滅制御回路１３を設けたため、受光信号をそのまま出力するとメダルが通過していないにもかかわらず受光信号がオフ（従来のメダル通過に相当する状態）になるので、メダル検出信号生成回路１４で補完している。具体的には発光素子Ｓ１−ａ，Ｓ２−ａの点滅の消灯制御タイミングにてサンプル復調する。例えば次のとおりである。
【００３５】
（１）発光素子が発光し、かつ、受光素子が受光している場合は、メダル非通過を意味する信号を出力する（図５の例ではＨレベル）。
（２）発光素子が発光し、かつ、受光素子が受光していない場合は、メダル通過を意味する信号を出力する（図５の例ではＬレベル）。
（３）発光素子が発光していない場合は、出力信号の状態を変えない。
【００３６】
メダル検出信号生成回路１４により、点滅制御回路１３を設けた場合でも従来と同様の信号が出力されるので、メイン基板２００のインタフェースやプログラムを従来同様そのまま使用することができる。
【００３７】
不正行為検出回路１５は、受光素子Ｓ１−ｂ，Ｓ２−ｂの受光信号に基づきエラー信号を生成する。発光素子が発光していないにもかかわらず、受光素子が受光しているという状態は通常はありえない。この状態を不正行為がなされているものと判定し、エラー信号を出力する。具体的には次の通りである。
【００３８】
（４）発光素子が発光していないにもかかわらず、受光素子が受光している場合は、エラー信号を出力する。
（５）エラー信号をそのまま保持する。特別なリセット信号（例えばエラーリセット信号）を受けない限り保持し続ける。
【００３９】
上記（４）のエラー判定のタイミングは、仮に、発光素子の消灯タイミングに合わせて不正行為用道具の発光素子を消灯制御したとしても、不正行為検出回路１５の判定タイミングに間に合わない時間関係を設定する。一般的にフォトセンサーのＬＥＤ制御から受光部出力まで数μＳから数十μＳが必要となるので、消灯タイミングから数μＳから数十μＳでエラー判定を行うようにすれば判定をごまかすことはできない（ただし後述の遅延時間ｔｄを考慮する必要がある）。不正行為用装置が簡易なマイコンを用いた構成であれば処理速度は低いのでなおさら対処は難しくなる。
【００４０】
図４はメダルセレクタ１の回路の具体例を示す。図４において、点滅制御回路１３はクロック発振器、メダル検出信号生成回路１４及び不正行為検出回路１５はフリップフロップ回路である。クロック発振器１３は図５に示すようなパルス信号を出力する。フリップフロップ１４はクロック発振器１３のパルス信号の立ち下がりで受光素子Ｓ−ｂの信号を取り込み、フリップフロップ１５はクロック発振器１３のパルス信号の立ち上がりで受光素子Ｓ−ｂの信号を取り込む。クロック発振器１３のＨレベルで発光素子を点灯しているとすれば、発光素子の点灯タイミング（これは消灯の最後のタイミングと同じであるので、前述の発光素子の消灯タイミングに含まれる。発光素子の点灯タイミングは、消灯タイミングのうちで最もクリティカルな（つまり最も不正行為を行うことが困難な）タイミングである）で受光素子が受光しているかどうか調べる。デバイス遅延ｔｄがあるため、点灯タイミングでは受光素子の信号はまだＯＮしていない。それがＯＮになっているということは不正行為に他ならない。そのため、ＯＮを検出した時点でエラーと判断する。受光素子Ｓ−ｂの出力にバッファ（インバータ）１６ｃが設けられているので、フリップフロップ１４、１５のＤ入力は受光時にＨレベルになる。フリップフロップ１５の反転出力／Ｑがプログラム端子Ｐに接続されているので、一度Ｈレベルの信号を取り込むと、その状態（発光素子が発光していないにもかかわらず、受光素子が受光している状態を示す状態）が保持され、エラー信号が出力され続ける。
【００４１】
図４の回路の動作を図５のタイミングチャートを参照して説明する。図５（ａ）はメダルが通過する正常な場合を示し、図５（ｂ）は不正行為による場合を示す。メダル検出信号に関して、便宜上、図５は図８（ｂ）の場合と論理を逆にしてある。図５において、低レベル（Ｌレベル）がメダル通過を意味する。
【００４２】
基準クロックにより発光素子は点灯と消灯を交互に繰り返す。これにより受光信号もＯＮとＯＦＦを交互に繰り返すが、フォトセンサーのＬＥＤ制御から受光部出力まで多少の時間遅れｔｄがあり、受光信号は基準クロックに対して少し遅れている。基準クロックの毎立下りでメダル検出信号を生成し、毎立ち上がりでエラー判定を行う。図５（ａ）に示すように、メダルが通過して光が遮られると受光信号がＯＦＦになる（符号Ａ、この状態が符号Ｂまで続く）。基準クロックの立下りで受光信号を調べると受光信号がＯＦＦであるのでメダルが通過していると判断してメダル検出信号をＯＦＦにする（符号Ｃ）。メダル検出信号は負論理である。基準クロックの立下りでその状態が続く間、メダル検出信号のＯＦＦを継続する。受光信号がＯＮ（符号Ｂ）に戻った後、基準クロックの立下りでこのことを検出するとメダル検出信号をＯＮに戻す（符号Ｄ）。なお、基準クロックの立ち上がりで受光信号を調べるとずっとＯＦＦなのでエラー信号はＬレベル（ＯＦＦ）のままである。
【００４３】
図５（ｂ）に示すように不正行為装置のＬＥＤが点灯している場合、基準クロックの立ち上がりで受光信号を調べるとＯＮになる場合がある（符号Ｅ）。遅延時間ｔｄを考慮すると、この状態は発光素子が発光していないにもかかわらず、受光素子が受光しているということを意味し、不正行為がなされているものと直ちに判定することができる。そこでフリップフロップ１５をセットしエラー信号を出力するとともに、この状態をエラーリセット信号を受けるまで保持する。基準クロックの立ち上がりで受光信号を調べてＯＦＦになっても（符号Ｆ）、エラー信号は継続して出力される。なお、図５（ｂ）においてもメダル検出信号が出力されるが、エラー信号により遊技機の動作が停止するので問題はない。
【００４４】
発明の実施の形態１によれば、センサの発光素子を点滅させることにより不正行為を検出することができる。メダルセンサは自身の発光素子の光を受光素子にて感知し信号を出力するが、その発光素子を常時点灯から点滅に変え、さらに点灯／消灯のタイミングと受光素子出力との整合性を監視する。不正行為用の道具の発光素子はメダルの通過に対応した点滅しかしないと考えられるため、容易に不正行為を判別できる。また、センサの発光素子の点滅に応じて不正行為用の発光素子を点滅させたとしても、エラー検出のタイミング及び／又は点滅の繰り返し周期を調整することにより不正行為を判別できる。不正行為用の道具で点滅するセンサの発光素子から光を受光し、当該不正行為用の道具内のマイコン等で発光素子の点滅を模倣しようとした場合、発光素子の消灯から次回監視（検出）までの１／２クロック内に信号を変化させねばならない。マイコンでの処理時間とトランジスタなどの動作時間を考慮すると基準クロックを数十〜数百ｋＨｚ程度で調整することで、より不正が難しくなるものと思われる。
【００４５】
発明の実施の形態２．
発明の実施の形態１はハードウエアを用いて不正行為を検出したが、ＣＰＵとプログラムを用いて同様のことを実現できる（短い時間で処理を行う必要があるため高速のＣＰＵが好ましい）。図６に処理フローチャートを示す。図６はメダルの計数処理の途中でセンサの発光素子を消灯して行う処理を示す。発光素子を点灯して行うメダルの計数処理は従来と同様なのでその説明は省略する。
【００４６】
Ｓ１：センサの発光素子を消灯させる。
【００４７】
Ｓ２：受光素子が受光信号を出力しているかどうか調べる。この際、発光素子の消灯命令を出してから受光素子の受光信号が停止するまでの遅延時間（図５のｔｄ参照）を考慮する必要がある。遅延時間を考慮しても受光信号が存在しないはずの時点で受光信号を検出したとき（ＮＯ）、処理Ｓ３とＳ４を実行する。そうでないとき（ＹＥＳ）、処理Ｓ５を実行する。
【００４８】
Ｓ３：発光素子が発光していないにもかかわらず受光素子が受光しているという状態であるから、不正行為がなされているものと判定し、エラー信号を出力する。
【００４９】
Ｓ４：不正行為者に利益を与えないように、遊技の受け付け及びメダルの払い戻しを停止する。
【００５０】
Ｓ５：通常のメダルの計数処理に復帰するため、センサの発光素子を点灯させる。
【００５１】
発光素子の消灯のタイミングとして、最もクリティカルな（つまり最も不正行為を行うことが困難な）タイミングである点灯開始タイミング（より正確には点灯開始タイミングから遅延時間ｔｄ以内のタイミング）に図６の処理を適用する場合は、上記Ｓ１，Ｓ２，Ｓ５は次のようになる。
【００５２】
Ｓ１’：センサの発光素子を点灯させる。
Ｓ２’：受光素子が受光信号を出力しているかどうか調べる。すなわち、基準クロックの点灯開始タイミング（立ち上がり）から遅延時間ｔｄ以内において、受光素子が受光信号を出力しているかどうか調べる。ここで受光信号を検出したとき（ＮＯ）、処理Ｓ３とＳ４を実行する。そうでないとき（ＹＥＳ）、処理Ｓ５’を実行する。
Ｓ５’：センサの発光素子を消灯させる。
【００５３】
本発明は、以上の実施の形態に限定されることなく、特許請求の範囲に記載された発明の範囲内で、種々の変更が可能であり、それらも本発明の範囲内に包含されるものであることは言うまでもない。
【００５４】
また、本明細書において、部／回路とは必ずしも物理的手段を意味するものではなく、各部／回路の機能が、ソフトウェアによって実現される場合も包含する。さらに、一つの部／回路の機能が、二つ以上の物理的手段により実現されても、若しくは、二つ以上の部／回路の機能が、一つの物理的手段により実現されてもよい。
【図面の簡単な説明】
【００５５】
【図１】遊技機の正面図である。
【図２】遊技機の前面を開いた状態を示す正面図である。
【図３】発明の実施の形態に係る遊技機のブロック図である。
【図４】発明の実施の形態１に係るメダルセレクタの回路の詳細図である。
【図５】発明の実施の形態１に係るメダルセレクタの動作を示すタイミングチャートである。
【図６】発明の実施の形態２に係る不正行為検出処理のフローチャートである。
【図７】メダルセレクタの斜視図である。
【図８】メダルセレクタの動作説明図である。
【符号の説明】
【００５６】
１    メダルセレクタ
１１  メダル通路
１２  メダル出口
１３  点滅制御回路（クロック発振器）
１４  メダル検出信号生成回路（フリップフロップ）
１５  不正行為検出回路（フリップフロップ）
１６ａ〜１６ｃ  インバータ（バッファ）
１００  スロットマシン
１２０  スロットマシン本体
１２１  ホッパ装置
１２２  ホッパタンク
１３０  前扉
１３１  ゲーム表示部
１３２  メダル投入口
１３３  リジェクトボタン
１３４  スタートスイッチ
１３５  メダル払い出し口
１３６  導出路
１４０  ストップボタン
２００  メイン基板
２０１  サブ基板
２０２  操作部
２０３  リールユニット
２０４  演出表示部
２０５  電源部
Ｓ１  メダルセンサ
Ｓ２  メダルセンサ
Ｍ    メダル
【図１】
2005304810.tif 000003
【図２】
2005304810.tif 000004
【図３】
2005304810.tif 000005
【図４】
2005304810.tif 000006
【図５】
2005304810.tif 000007
【図６】
2005304810.tif 000008
【図７】
2005304810.tif 000009
【図８】
2005304810.tif 000010